(57)【要約】  ビーコン、パイロット信号などのブロードキャスト信号を使用して、アクセスポイントの種別および／または制限付きアソシエーションパラメータを送信することを容易にするシステムおよび方法が説明される。種別または制限付きアソシエーション情報は、指定パラメータなどの信号の１つまたは複数の内因的な側面によって指示されうる。それに加えて、種別または情報は、周波数、時間間隔、周期性などの１つまたは複数の外因的な信号側面によって指示されうる。この情報を使用することで、モバイルデバイスは、アクセスポイントが制限付きアソシエーションを実行するかどうかを判定することができる。そうであれば、モバイルデバイスは、接続を確立するかどうかを決定する前にアクセスポイントまたは関係するグループ識別子を要求することができる。識別子は、決定を行うためにアクセス可能なアクセスポイントおよび／またはグループのリストと突き合わせて検証することができる。
2011504057.tif 000002
【特許請求の範囲】
【請求項１】
無線通信ネットワーク内の再選択のためにセル情報を決定するための方法であって、
アクセスポイントから受信されたブロードキャスト信号から制限付きアソシエーションインジケータを決定することと、
該制限付きアソシエーションインジケータの少なくとも一部に基づいて該ブロードキャスト信号から該アクセスポイントに関係するグループ識別子を取得することと、
該グループ識別子がアクセス可能なグループ識別子のリスト内に存在するものとして判定することの少なくとも一部に基づいて該アクセスポイントとの通信を確立することとを備える方法。
【請求項２】
前記アクセスポイントとの通信を確立することは、アイドルモードまたは接続モードで前記アクセスポイントへのセル再選択を実行することを備える請求項１に記載の方法。
【請求項３】
前記アクセスポイントとの通信を確立することは、前記アクセスポイントに接続確立要求を送信することを備える請求項１に記載の方法。
【請求項４】
前記制限付きアソシエーションインジケータを決定することは、前記ブロードキャスト信号の１つまたは複数の外因的な側面を評価することに少なくとも一部は基づく請求項１に記載の方法。
【請求項５】
前記１つまたは複数の外因的な側面は、その後のブロードキャスト信号が前記アクセスポイントから受信される時間間隔を含む請求項４に記載の方法。
【請求項６】
前記ブロードキャスト信号は、前記時間間隔で前記アクセスポイントによって繰り返し送信されるビーコン信号である請求項５に記載の方法。
【請求項７】
前記制限付きアソシエーションインジケータは、前記ブロードキャスト信号内にその１つまたは複数のパラメータとして備えられる請求項１に記載の方法。
【請求項８】
前記アクセスポイントが、フェムトセルであるか、またはマクロセルであるかを前記制限付きアソシエーションインジケータの少なくとも一部に基づいて判定することをさらに含む請求項１に記載の方法。
【請求項９】
前記アクセスポイントは、フェムトセルであり、前記グループ識別子は、共通サービスプロバイダを有するフェムトセルの一グループに関係する請求項８に記載の方法。
【請求項１０】
その後通信確立を試みて前記ブロードキャスト信号から前記アクセスポイントのセクタ識別子を取得することをさらに備える請求項１に記載の方法。
【請求項１１】
前記セクタ識別子の少なくとも一部に基づいてその後の通信確立を要求することをさらに備える請求項１０に記載の方法。
【請求項１２】
前記グループ識別子は、テキストベースである請求項１に記載の方法。
【請求項１３】
前記制限付きアソシエーションインジケータは、信号伝達、データアクセス、登録、および／またはサービスを提供することに関して前記アクセスポイントが制限されていることを示す請求項１に記載の方法。
【請求項１４】
無線通信装置であって、
ブロードキャスト信号をアクセスポイントから受信し、
該ブロードキャスト信号から制限付きアソシエーションインジケータを決定し、
該制限付きアソシエーションインジケータの少なくとも一部に基づいて該ブロードキャスト信号から該アクセスポイントに関係するグループの識別を受信し、
該識別が選好アクセスポイントグループのリスト内に存在するものとして判定することの少なくとも一部に基づいて該アクセスポイントと通信するように構成された
少なくとも１つのプロセッサと、
該少なくとも１つのプロセッサに結合されたメモリとを備える無線通信装置。
【請求項１５】
無線ネットワーク内のアクセスポイントと通信することを容易にする無線通信装置であって、
アクセスポイントから受信されたブロードキャスト信号から制限付きアソシエーションインジケータを決定するための手段と、
該制限付きアソシエーションインジケータの少なくとも一部に基づいて該ブロードキャスト信号から該アクセスポイントに関係するグループの識別を決定するための手段と、
該グループの該識別の少なくとも一部に基づいて該アクセスポイントと通信するための手段とを備える無線通信装置。
【請求項１６】
コンピュータプログラム製品であって、
アクセスポイントから受信されたブロードキャスト信号から制限付きアソシエーションインジケータを少なくとも１つのコンピュータに決定させるためのコードと、
該制限付きアソシエーションインジケータの少なくとも一部に基づいて該ブロードキャスト信号から該アクセスポイントに関係するグループ識別子を該少なくとも１つのコンピュータに取得させるためのコードと、
該グループ識別子がアクセス可能なグループ識別子のリスト内に存在していると判定することの少なくとも一部に基づいて該アクセスポイントとの通信を該少なくとも１つのコンピュータに確立させるためのコードとを備える
コンピュータ可読媒体を備えるコンピュータプログラム製品。
【請求項１７】
装置であって、
アクセスポイントから受信されたブロードキャスト信号から制限付きアソシエーションインジケータを決定する制限付きアソシエーションインジケータ識別器と、
該制限付きアソシエーションインジケータの少なくとも一部に基づいて該ブロードキャスト信号から該アクセスポイントに関係するアクセスポイントグループ識別を取得するアクセスポイント識別子判定器と、
該識別が選好アクセスポイントグループのリスト内に存在するものとして判定することの少なくとも一部に基づいて該アクセスポイントとの通信を確立するセル再選択器とを備える装置。
【請求項１８】
前記セル再選択器は、アイドルモードまたは接続モードで前記アクセスポイントへのセル再選択を実行することによって前記アクセスポイントとの通信を確立する請求項１７に記載の装置。
【請求項１９】
前記セル再選択器は、アクセス要求を前記アクセスポイントに送信することによって前記アクセスポイントとの通信を確立する請求項１８に記載の装置。
【請求項２０】
前記制限付きアソシエーションインジケータ識別器は、前記ブロードキャスト信号の１つまたは複数の外因的な側面を評価することの少なくとも一部に基づいて前記制限付きアソシエーションインジケータを決定する請求項１７に記載の装置。
【請求項２１】
前記１つまたは複数の外因的な側面は、その後のブロードキャスト信号が前記アクセスポイントから受信される時間間隔を含む請求項２０に記載の装置。
【請求項２２】
前記ブロードキャスト信号は、前記時間間隔で前記アクセスポイントによって繰り返し送信されるビーコン信号である請求項２１に記載の装置。
【請求項２３】
前記制限付きアソシエーションインジケータ識別器は、前記ブロードキャスト信号内に備えられる１つまたは複数のパラメータから前記制限付きアソシエーションインジケータを決定する請求項１７に記載の装置。
【請求項２４】
前記制限付きアソシエーションインジケータ識別器は、その後通信確立を試みて前記ブロードキャスト信号から前記アクセスポイントのセクタ識別子を取得する請求項１７に記載の装置。
【請求項２５】
前記セル再選択器は、前記セクタ識別子の少なくとも一部に基づいてその後の通信確立を要求する請求項２４に記載の装置。
【請求項２６】
前記制限付きアソシエーションインジケータは、信号伝達、データアクセス、登録、および／またはサービスを提供することに関して前記アクセスポイントが制限されていることを示す請求項１７に記載の装置。
【請求項２７】
無線通信ネットワーク上で送信されるブロードキャスト信号内でアクセスポイント情報を指定するための方法であって、
アクセスポイントの種別を決定することと、
該アクセスポイントの種別の少なくとも一部に基づいて該アクセスポイントを識別するブロードキャスト信号を発生することと、
該アクセスポイントの種別に応じて該無線ネットワーク上で該ブロードキャスト信号を繰り返し送信することとを備える方法。
【請求項２８】
前記ブロードキャスト信号内にアクセスポイントグループ識別子を含めることをさらに備える請求項２７に記載の方法。
【請求項２９】
前記ブロードキャスト信号を送信することは、前記アクセスポイントの種別を示す時間間隔で実行される請求項２７に記載の方法。
【請求項３０】
前記ブロードキャスト信号を送信することは、前記アクセスポイントの種別を示す周波数帯域で実行される請求項２７に記載の方法。
【請求項３１】
前記アクセスポイントの種別は、前記ブロードキャスト信号内で指定される請求項２７に記載の方法。
【請求項３２】
前記アクセスポイントの種別は、信号伝達、データアクセス、登録、および／またはサービスを１つまたは複数のモバイルデバイスに提供することに関して前記アクセスポイントが制限付きアソシエーションを実行するかどうかを示す請求項２７に記載の方法。
【請求項３３】
無線通信装置であって、
該無線通信装置の種別を受信し、
該種別の少なくとも一部に基づいて該無線通信装置を識別するブロードキャスト信号を発生し、
該種別を識別するために無線ネットワーク上で該ブロードキャスト信号を繰り返し送信するように構成された
少なくとも１つのプロセッサと、
該少なくとも１つのプロセッサに結合されたメモリとを備える無線通信装置。
【請求項３４】
無線通信における制限付きアソシエーションを指示することを容易にする無線通信装置であって、
該無線通信装置の種別を受信するための手段と、
該種別の少なくとも一部に基づいて該無線通信装置を識別するブロードキャスト信号を発生するための手段と、
該種別に応じて無線ネットワーク上で該ブロードキャスト信号を繰り返し送信するための手段とを備える無線通信装置。
【請求項３５】
コンピュータプログラム製品であって、
アクセスポイントの種別を少なくとも１つのコンピュータに判定させるためのコードと、
該アクセスポイントの種別の少なくとも一部に基づいて該アクセスポイントを識別するブロードキャスト信号を該少なくとも１つのコンピュータに発生させるためのコードと、
該アクセスポイントの種別に応じて前記無線ネットワーク上で該ブロードキャスト信号を該少なくとも１つのコンピュータに繰り返し送信させるためのコードとを備える
コンピュータ可読媒体を備えるコンピュータプログラム製品。
【請求項３６】
装置であって、
該装置の決定された種別に関係する制限付きアソシエーションインジケータを指定する制限付きアソシエーション指定器と、
該制限付きアソシエーションインジケータの少なくとも一部に基づいてブロードキャスト信号を生成するブロードキャスト信号生成器と、
該制限付きアソシエーションインジケータに従って前記無線ネットワーク上で該ブロードキャスト信号を繰り返し送信する送信機とを備える装置。
【請求項３７】
前記ブロードキャスト信号生成器は、前記ブロードキャスト信号内にアクセスポイントグループ識別子を含める請求項３６に記載の装置。
【請求項３８】
前記送信機は、前記制限付きアソシエーションインジケータを示す時間間隔で前記ブロードキャスト信号を送信する請求項３６に記載の装置。
【請求項３９】
前記送信機は、前記制限付きアソシエーションインジケータを示す周波数帯域で前記ブロードキャスト信号を送信する請求項３６に記載の装置。
【請求項４０】
前記ブロードキャスト信号生成器は、前記ブロードキャスト信号内に前記制限付きアソシエーションインジケータを含める請求項３６に記載の装置。
【請求項４１】
前記制限付きアソシエーション指定器は、信号伝達、データアクセス、登録、および／またはサービスを１つまたは複数のモバイルデバイスに提供することに関して前記装置が制限付きアソシエーションを実行するかどうかを示す請求項３６に記載の装置。
【発明の詳細な説明】
【関連出願】
【０００１】
本出願は、２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＩＤＬＥ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６３１号、２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＣＯＮＮＥＣＴＥＤ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６４１号、２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＭＡＮＡＧＥＭＥＮＴ  ＡＮＤ  ＡＤＶＥＲＴＩＳＥＭＥＮＴ  ＯＦ  ＮＥＩＧＨＢＯＲ  ＬＩＳＴＳ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６４９号、および２００８年１月３１日に出願した「ＳＹＳＴＥＭＳ  ＡＮＤ  ＭＥＴＨＯＤＳ  ＦＯＲ  ＳＩＧＮＡＬＩＮＧ  ＲＥＳＴＲＩＣＴＥＤ  ＡＳＳＯＣＩＡＴＩＯＮ」という表題の米国仮特許出願第６１／０２５，０９３号の利益を主張するものである。上記の出願は全体が参照により本明細書に組み込まれる。
【０００２】
それに加えて、本出願は、本出願と同時に出願され、本出願の譲受人に譲渡され、参照により本明細書に明示的に組み込まれている、同時係属の、「ＵＴＩＬＩＺＩＮＧ  ＲＥＳＴＲＩＣＴＩＯＮ  ＣＯＤＥＳ  ＩＮ  ＷＩＲＥＬＥＳＳ  ＡＣＣＥＳＳ  ＰＯＩＮＴ  ＣＯＮＮＥＣＴＩＯＮ  ＡＴＴＥＭＰＴＳ」という表題のＧａｖｉｎ  Ｈｏｒｎらによる米国特許出願（整理番号０７２３２４Ｕ１）、「ＦＡＶＯＲＩＮＧ  ＡＣＣＥＳＳ  ＰＯＩＮＴＳ  ＩＮ  ＷＩＲＥＬＥＳＳ  ＣＯＭＭＵＮＩＣＡＴＩＯＮＳ」という表題のＧａｖｉｎ  Ｈｏｒｎらによる米国特許出願（整理番号０７２３２４Ｕ２）、「ＣＬＡＳＳＩＦＹＩＮＧ  ＡＣＣＥＳＳ  ＰＯＩＮＴＳ  ＵＳＩＮＧ  ＰＩＬＯＴ  ＩＤＥＮＴＩＦＩＥＲＳ」という表題のＧａｖｉｎ  Ｈｏｒｎらによる米国特許出願（整理番号０７２３２４Ｕ４）、および「ＳＥＣＴＯＲ  ＩＤＥＮＴＩＦＩＣＡＴＩＯＮ  ＵＳＩＮＧ  ＳＥＣＴＯＲ  ＰＡＲＡＭＥＴＥＲＳ  ＳＩＧＮＡＴＵＲＥＳ」という表題のＧａｖｉｎ  Ｈｏｒｎらによる米国特許出願（整理番号０７２３２４Ｕ５）の関連出願である。
【技術分野】
【０００３】
以下の説明は、一般に無線通信に関係し、より具体的には、無線通信ネットワークにおいてブロードキャスト信号を使用して制限付きアソシエーションデータを送信することに関する。
【背景技術】
【０００４】
無線通信システムは、例えば、音声、データなどのさまざまな種類の通信コンテンツを提供するため広く展開されている。典型的な無線通信システムは、利用可能なシステムリソース（例えば、帯域幅、送信電力、…）を共有することにより複数のユーザとの通信をサポートすることができる多元接続システムであるものとしてよい。このような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および同様のシステムを挙げることができる。それに加えて、これらのシステムは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）、３ＧＰＰ  ＬＴＥ（Ｌｏｎｇ  Ｔｅｒｍ  Ｅｖｏｌｕｔｉｏｎ）、ＵＭＢ（Ｕｌｔｒａ  Ｍｏｂｉｌｅ  Ｂｒｏａｄｂａｎｄ）などの仕様に適合しているものとしてよい。
【０００５】
一般に、無線多元接続通信システムは、複数のモバイルデバイスの通信を同時にサポートすることができる。それぞれのモバイルデバイスは、順方向リンクおよび逆方向リンク上の伝送により１つまたは複数の基地局と通信することができる。順方向リンク（またはダウンリンク）は、基地局から移動体デバイスへの通信リンクを指し、逆方向リンク（またはアップリンク）は、移動体デバイスから基地局への通信リンクを指す。さらに、モバイルデバイスと基地局との間の通信は、単一入力単一出力（ＳＩＳＯ）システム、多入力単一出力（ＭＩＳＯ）システム、多入力多出力（ＭＩＭＯ）システムなどを介して確立されうる。それに加えて、モバイルデバイスは、他のモバイルデバイスと（および／または基地局が他の基地局と）ピアツーピア無線ネットワーク構成で通信することができる。
【０００６】
ＭＩＭＯシステムは、通例、データ伝送用に複数の（ＮＴ）送信アンテナと複数の（ＮＲ）受信アンテナを使用している。これらのアンテナは、基地局とモバイルの両方に関係し、一例では、無線ネットワーク上のデバイス間の双方向通信を可能にしうる。モバイルデバイスがサービスエリア全域にわたって移動するときに、それらのデバイスによって通信に使用されるセルは、１つまたは複数のアクセスポイント（例えば、マクロセル、フェムトセル、など）間で再選択されうる。これは、例えば、利用可能なアクセスポイント、つまりそのサービングセルが、現在のアクセスポイントよりもよい信号またはサービスを提供できる場合に発生しうる。モバイルデバイスは、信号品質、サービスレベルなどの１つまたは複数のセルに関係するパラメータを測定することができ、またそれらのパラメータのうちの１つまたは複数のパラメータに基づきうる、望ましさの程度に応じてセルをランク付けすることができる。一例では、利用可能なアクセスポイントは、望ましい課金、カバレージ、サービスオプションなどの機能を備える所定のモバイルデバイスに対するホームアクセスポイントに関係しうる。したがって、通信に使用されるセルは、指定された範囲内にあるときにより望ましいアクセスポイントへ再選択されうる。
【発明の概要】
【０００７】
以下では、１つまたは複数の実施形態の基本的な理解を深められるように、そのような実施形態の単純化された概要を述べる。この概要は、すべての企図される実施形態の網羅的な概要ではなく、すべての実施形態の主要なまたはクリティカルな要素を同定することも、いずれかまたはすべての実施形態の範囲を線引きすることも意図されてはいない。その唯一の目的は、後で提示されるより詳細な説明の前置きとして、単純化された形で１つまたは複数の実施形態のいくつかの概念を提示することである。
【０００８】
１つまたは複数の実施形態および対応するその開示によれば、無線通信ネットワークにおいてブロードキャスト信号を使用して制限付きアソシエーション情報を指示することを容易にすることに関連してさまざまな態様が説明される。例えば、モバイルデバイスは、アクセスポイントからブロードキャスト信号を介して制限付きアソシエーション情報を受信することができ、またこの情報を利用して、アクセスポイントへのセル再選択または他のことを実行することを決定することができる。アクセスポイントは、アクセスポイントのクラス（例えば、フェムトセル、マクロセル基地局など）に関係しうる１つまたは複数のインジケータ／識別子、アクセスポイントが関連付けられるグループ（アクセスポイントのプロバイダ、アクセスポイントのロケーションなどに基づくことができる）、制限付きアソシエーションインジケータ、セクタ識別子、および同様のものを備えるブロードキャスト信号を発生することができる。モバイルデバイスは、例えば、これらのインジケータ／識別子を受信して、アクセスポイントに関係する１つまたは複数のセルを再選択するかどうかを決定する際にアクセスポイントの態様を識別するためにインジケータ／識別子を使用することができる。
【０００９】
関連する態様によれば、無線通信ネットワーク内での再選択のためにセル情報を決定するための方法が提供される。この方法は、アクセスポイントから受信されたブロードキャスト信号から制限付きアソシエーションインジケータを決定することを含む、この方法は、制限付きアソシエーションインジケータの少なくとも一部に基づいてブロードキャスト信号からアクセスポイントに関係するグループ識別子を取得することと、グループ識別子をアクセス可能なグループ識別子のリスト内に存在するものとして決定することの少なくとも一部に基づいてアクセスポイントとの通信を確立することとをさらに含む。
【００１０】
他の態様は、無線通信装置に関係する。無線通信装置は、アクセスポイントからブロードキャスト信号を受信し、ブロードキャスト信号から制限付きアソシエーションインジケータを決定するように構成された少なくとも１つのプロセッサを備えることができる。プロセッサは、制限付きアソシエーションインジケータの少なくとも一部に基づいてブロードキャスト信号からアクセスポイントに関係するグループの識別を受信するように構成される。さらに、プロセッサは、その識別が選好アクセスポイントグループのリスト内に存在するものとして判定することの少なくとも一部に基づいてアクセスポイントと通信するようにさらに構成される。無線通信装置は、少なくとも１つのプロセッサに結合されたメモリも備える。
【００１１】
さらに他の態様は、無線ネットワーク内のアクセスポイントと通信することを容易にする無線通信装置に関係する。無線通信装置は、アクセスポイントから受信されたブロードキャスト信号から制限付きアソシエーションインジケータを決定するための手段と制限付きアソシエーションインジケータの少なくとも一部に基づいてブロードキャスト信号からアクセスポイントに関係するグループの識別を決定するための手段とを備えることができる。無線通信装置は、それに加えて、グループの識別の少なくとも一部に基づいてアクセスポイントと通信するための手段を備えることができる。
【００１２】
さらに他の態様は、アクセスポイントから受信されたブロードキャスト信号から制限付きアソシエーションインジケータを少なくとも１つのコンピュータに決定させるためのコードを格納するコンピュータ可読媒体を有することができる、コンピュータプログラム製品に関する。コンピュータ可読媒体は、制限付きアソシエーションインジケータの少なくとも一部に基づいてブロードキャスト信号からアクセスポイントに関係するグループ識別子を少なくとも１つのコンピュータに取得させるためのコードも備えることができる。さらに、コンピュータ可読媒体は、グループ識別子がアクセス可能なグループ識別子のリスト内に存在していると判定することの少なくとも一部に基づいてアクセスポイントとの通信を少なくとも１つのコンピュータに確立させるためのコードを備えることができる。
【００１３】
さらに、追加の一態様は、装置に関係する。装置は、アクセスポイントから受信されたブロードキャスト信号から制限付きアソシエーションインジケータを決定する制限付きアソシエーションインジケータ識別子および制限付きアソシエーションインジケータの少なくとも一部に基づいてブロードキャスト信号からアクセスポイントに関係するアクセスポイントグループ識別子を取得するアクセスポイント識別子判定器を備えることができる。装置は、その識別が選好アクセスポイントグループのリスト内に存在するものとして判定することの少なくとも一部に基づいてアクセスポイントとの通信を確立するセル再選択器をさらに備えることができる。
【００１４】
追加の態様によれば、無線通信ネットワークを介して送信されるブロードキャスト信号内にアクセスポイント情報を指定するための方法が提供される。この方法は、アクセスポイントの種別を判定することと、アクセスポイントの種別の少なくとも一部に基づいてアクセスポイントを識別するブロードキャスト信号発生することとを含むことができる。この方法は、アクセスポイントの種別に応じて無線ネットワーク上でブロードキャスト信号を繰り返し送信することをさらに含む。
【００１５】
他の態様は、無線通信装置に関係する。無線通信装置は、無線通信装置の種別を受信し、その種別の少なくとも一部に基づいて無線通信装置を識別するブロードキャスト信号を発生するように構成された少なくとも１つのプロセッサを備えることができる。プロセッサは、種別を識別するために無線ネットワーク上でブロードキャスト信号を繰り返し送信するようにさらに構成される。無線通信装置は、少なくとも１つのプロセッサに結合されたメモリも備える。
【００１６】
さらに他の態様は、無線通信において制限付きアソシエーションを指示することを容易にする無線通信装置に関係する。無線通信装置は、無線通信装置の種別を受信するための手段と、その種別の少なくとも一部に基づいて無線通信装置を識別するブロードキャスト信号を発生するための手段とを備えることができる。無線通信装置は、それに加えて、その種別に応じて無線ネットワーク上でブロードキャスト信号を繰り返し送信するための手段も備えることができる。
【００１７】
さらに他の態様は、アクセスポイントの種別を少なくとも１つのコンピュータに判定させるためのコードを格納するコンピュータ可読媒体を有することができる、コンピュータプログラム製品に関する。コンピュータ可読媒体は、アクセスポイントの種別の少なくとも一部に基づいてアクセスポイントを識別するブロードキャスト信号を少なくとも１つのコンピュータに発生させるためのコードも備えることができる。さらに、コンピュータ可読媒体は、アクセスポイントの種別に応じて無線ネットワーク上でブロードキャスト信号を少なくとも１つのコンピュータに繰り返し送信させるためのコードを備えることができる。
【００１８】
さらに、追加の一態様は、装置に関係する。装置は、装置の決定された種別に関係する制限付きアソシエーションインジケータを指定する制限付きアソシエーション指定器を備えることができる。装置は、制限付きアソシエーションインジケータの少なくとも一部に基づいてブロードキャスト信号を作成するブロードキャスト信号生成器、および制限付きアソシエーションインジケータに応じて無線ネットワーク上でブロードキャスト信号を繰り返し送信する送信機をさらに備えることができる。
【００１９】
前述の目的および関連する目的の達成のために、１つまたは複数の実施形態は、下で十分に説明され、特に特許請求の範囲で指摘される特徴を備える。次の説明および添付図面は、その１つまたは複数の実施形態のある種の例示的態様を詳細に示す。ただし、これらの態様はさまざまな実施形態の原理を採用するさまざまな方法の少数のみを示しており、説明されている実施形態はこのような態様およびその等価物すべてを含むことを意図されている。
【図面の簡単な説明】
【００２０】
【図１】本明細書で説明されるさまざまな態様による無線通信システムを示す図。
【図２】セル再選択を容易にする無線通信システムを示す図。
【図３】無線通信環境内で使用するための例示的な通信装置を示す図。
【図４】ブロードキャスト信号を使用して制限付きアソシエーション情報を指示することを実行する例示的な無線通信システムを示す図。
【図５】無線ネットワーク内でセル再選択を実行することを容易にする例示的な方法を示す図。
【図６】ブロードキャスト信号を評価して制限付きアソシエーションまたはアクセスポイントの種別情報を決定することを容易にする例示的な方法を示す図。
【図７】制限付きアソシエーションまたはアクセスポイントの種別情報を指示するためにブロードキャスト信号を生成することを容易にする例示的な方法を示す図。
【図８】アクセスポイント情報を取得するためにブロードキャスト信号を分析することを容易にする例示的なモバイルデバイスを示す図。
【図９】アクセスポイント情報インジケータを備えるブロードキャスト信号を生成する例示的なシステムを示す図。
【図１０】本明細書で説明されているさまざまなシステムおよび方法とともに使用されうる例示的な無線ネットワーク環境を示す図。
【図１１】アクセスポイント情報を決定するためにブロードキャスト信号を評価する例示的なシステムを示す図。
【図１２】関係するブロードキャスト信号内にアクセスポイント情報を入れる例示的なシステムを示す図。
【発明を実施するための形態】
【００２１】
次に、さまざまな実施形態について、図面を参照しつつ説明するが、図面全体を通して、同様の符号は同様の要素を参照するのに使用される。以下の説明では、説明を目的として、１つまたは複数の実施形態を完全に理解できるように多数の具体的な詳細を示す。しかし、このような実施形態は、そうした具体的詳細を知らなくても実施できることは明白であると思われる。他の場合には、１つまたは複数の実施形態の説明を容易にするために、周知の構造およびデバイスを、ブロック図形式で示す。
【００２２】
本出願で使用されているように、「コンポーネント」、「モジュール」、「システム」、および同様の用語は、コンピュータ関連のエンティティ、つまりハードウェア、ファームウェア、ハードウェアとソフトウェアの組合せ、ソフトウェア、または実行中のソフトウェアのいずれかを指すことを意図されている。例えば、コンポーネントは、限定はしないが、プロセッサ上で動作するプロセス、プロセッサ、オブジェクト、実行可能ファイル、実行のスレッド、プログラム、および／またはコンピュータとすることができる。一例として、コンピューティングデバイスで動作するアプリケーションとそのコンピューティングデバイスとの両方を、コンポーネントとすることができる。１つまたは複数のコンポーネントが、１つのプロセスおよび／または実行のスレッド内に常駐することができ、１つのコンポーネントを、１つのコンピュータ上に局所化し、かつ／または複数のコンピュータの間で分散させることができる。それに加えて、これらのコンポーネントは、そこにさまざまなデータ構造を格納されたさまざまなコンピュータ可読媒体から実行することができる。コンポーネントは、１つまたは複数のデータパケットを有する信号（例えば、信号によって、ローカルシステム内の別のコンポーネント、分散システム、および／または他のシステムとのインターネットなどのネットワークにまたがって相互作用するあるコンポーネントからのデータ）によるなど、ローカルプロセスおよび／またはリモートプロセスによって通信することができる。
【００２３】
さらに、さまざまな実施形態を、本明細書で移動体デバイスに関連して説明する。モバイルデバイスは、システム、加入者ユニット、加入者ステーション、移動局、移動体、遠隔ステーション、遠隔端末、アクセス端末、ユーザ端末、端末、無線通信デバイス、ユーザエージェント、ユーザデバイス、またはユーザ機器（ＵＥ）と称されうる。モバイルデバイスは、携帯電話、コードレス電話機、セッションイニシエーションプロトコル（ＳＩＰ）電話機、無線ローカルループ（ＷＬＬ）ステーション、携帯情報端末（ＰＤＡ）、無線接続機能を有するハンドヘルドデバイス、コンピューティングデバイス、または無線モデムに接続された他の処理デバイスとすることができる。さらに、さまざまな実施形態を、本明細書で基地局に関連して説明する。基地局は、モバイルデバイス（１つまたは複数）と通信するのに利用することができ、また、アクセスポイント、Ｎｏｄｅ  Ｂ、ｅｖｏｌｖｅｄ  Ｎｏｄｅ  Ｂ（ｅＮｏｄｅ  ＢまたはｅＮＢ）、基地トランシーバ局（ＢＴＳ）と称されるか、または他の何らかの名称で称することもできる。
【００２４】
さらに、本明細書で説明されるさまざまな態様または特徴を、標準的なプログラミング技法および／または工学技法を使用して、方法、装置、または製造品として実施することができる。本明細書で使用されるような「製造品」という用語は、任意のコンピュータ可読デバイス、搬送波、または媒体からアクセス可能なコンピュータプログラムを包含することが意図されている。例えば、コンピュータ可読媒体としては、限定はしないが、磁気記憶デバイス（例えば、ハードディスク、フロッピディスク、磁気ストリップなど）、光ディスク（例えば、コンパクトディスク（ＣＤ）、デジタル多用途ディスク（ＤＶＤ）など）、スマートカード、およびフラッシュメモリデバイス（例えば、ＥＰＲＯＭ、カード、スティック、キードライブなど）が挙げられる。さらに、本明細書で説明するさまざまな記憶媒体は、情報を格納する１つまたは複数のデバイスおよび／あるいは他の機械可読媒体を表すことができる。「機械可読媒体」という用語は、限定はしないが、命令（１つまたは複数）および／またはデータを格納すること、含むこと、および／または搬送することのできる無線チャネルおよびさまざまな他の媒体を含むことができる。
【００２５】
本明細書で説明されている技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数領域多重化（ＳＣ−ＦＤＭＡ）、および他のシステムなどのさまざまな無線通信システムに使用することができる。用語「システム」、「網」、および「ネットワーク」は、しばしば交換可能に使用される。符号分割多元接続システムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００、その他などの無線テクノロジを実施することができる。ＵＴＲＡは、Ｗｉｄｅｂａｎｄ−ＣＤＭＡ（Ｗ−ＣＤＭＡ）およびＣＤＭＡの他の変更形態を含む。ＣＤＭＡ２０００は、ＩＳ−２０００標準規格、ＩＳ−９５標準規格、およびＩＳ−８５６標準規格を包含する。時分割多元接続システムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線テクノロジを実施することができる。直交周波数分割多元接続システムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ、などの無線テクノロジを実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、Ｅ−ＵＴＲＡを使用する来るリリースであり、Ｅ−ＵＴＲＡは、ダウンリンクでＯＦＤＭＡ、アップリンクでＳＣ−ＦＤＭＡを使用する。ＵＴＲＡ、Ｅ−ＵＴＲＡ、ＵＭＴＳ、ＬＴＥ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。
【００２６】
そこで図１を参照すると、本明細書で提示されるさまざまな実施形態による無線通信システム１００が示されている。システム１００は、複数のアンテナグループを含むことができる基地局１０２を備える。例えば、１つのアンテナグループは、アンテナ１０４および１０６を含むことができ、別のグループは、アンテナ１０８および１１０を備えることができ、追加のグループは、アンテナ１１２および１１４を含むことができる。２つのアンテナが、アンテナグループ毎に図示されているが、より多数またはより少数のアンテナを、グループ毎に利用することができる。基地局１０２は、さらに、送信機チェーンおよび受信機チェーンを含むことができ、送信機チェーンおよび受信機チェーンのそれぞれは、当業者によって了解されるように、信号の送信および受信に関連する複数のコンポーネント（例えば、プロセッサ、変調器、多重化装置、復調器、多重分離装置、アンテナなど）を備えることができる。
【００２７】
基地局１０２は、モバイルデバイス１１６およびモバイルデバイス１２６などの１つまたは複数のモバイルデバイスと通信することができるが、基地局１０２が、モバイルデバイス１１６および１２６に類似する実質的に任意の個数のモバイルデバイスと通信できることは理解されるであろう。モバイルデバイス１１６および１２６は、例えば、携帯電話、スマートホン、ラップトップ機、ハンドヘルド通信デバイス、ハンドヘルドコンピューティングデバイス、衛星ラジオ、全地球測位システム、ＰＤＡ、および／または無線通信システム１００を介して通信する任意の他の適切なデバイスとすることができる。図に示されているように、モバイルデバイス１１６は、アンテナ１１２および１１４と通信状態にあり、アンテナ１１２および１１４は、順方向リンク１１８上でモバイルデバイス１１６に情報を送信し、逆方向リンク１２０上でモバイルデバイス１１６から情報を受信する。周波数分割複信（ＦＤＤ）システムでは、例えば、順方向リンク１１８は、逆方向リンク１２０によって使用される周波数と異なる周波数を使用することができる。さらに、時分割複信（ＴＤＤ）システムでは、順方向リンク１１８および逆方向リンク１２０は、共通の周波数を使用することができる。
【００２８】
アンテナのそれぞれのグループおよび／またはそれらが通信するように指定されたエリアを、基地局１０２のセクタまたはセルと呼ぶことができる。例えば、アンテナグループは、基地局１０２によってカバーされるエリアの１つのセクタ内にあるモバイルデバイスと通信するように設計されうる。順方向リンク１１８を介する通信では、基地局１０２の送信アンテナは、モバイルデバイス１１６の順方向リンク１１８の信号対雑音比を改善するのにビームフォーミングを利用することができる。また、基地局１０２は、関連するカバレージを介してランダムに散在するモバイルデバイス１１６に送信するのにビームフォーミングを利用するが、隣接セル内のモバイルデバイスは、単一のアンテナを介してすべてのモバイルデバイスに送信する基地局と比較して、より少ない干渉を受ける可能性がある。さらに、モバイルデバイス１１６および１２６は、ピアツーピアまたはアドホック技術を使用して互いに直接通信することができる。
【００２９】
それに加えて、基地局１０２は、バックホールリンク接続を介して、無線サービスアクセスネットワーク（例えば、３Ｇネットワーク）を含む１つまたは複数のネットワークであってもよい、ネットワーク１２２と通信することができる。ネットワーク１２２は、モバイルデバイス１１６および１２６に関係するアクセスパラメータおよびサービスをデバイス１１６および１２６に提供するための無線アクセスネットワークの他のパラメータに関する情報を格納することができる。さらに、フェムトセル１２４は、順方向リンク１２８および逆方向リンク１３０（上述のように、順方向リンク１１８および逆方向リンク１２０と同様）上でモバイルデバイス１２６との通信を容易にするために備えることができる。フェムトセル１２４は、基地局１０２とほぼ同じであるが、ただしスケールが小さい、１つまたは複数のモバイルデバイス１２６へのアクセスを提供することができる。一例では、フェムトセル１２４は、住宅、企業、および／または他の近距離設定（例えば、テーマパーク、スタジアム、共同住宅など）内に構成されうる。フェムトセル１２４は、一例では、ブロードバンドインターネット接続（Ｔ１／Ｔ３、デジタル加入者回線（ＤＳＬ）、ケーブルなど）を経由することができる、バックホールリンク接続を使用してネットワーク１２２に接続することができる。ネットワーク１２２は、同様に、モバイルデバイス１２６のアクセス情報を提供することができる。
【００３０】
一例によれば、モバイルデバイス１１６および１２６は、異なる基地局間でおよび／または移動中のフェムトセル間でセル再選択を実行するサービスエリア上を移動することができる。この点で、モバイルデバイス１１６および１２６は、モバイルデバイス１１６および１２６のユーザに連続的な無線サービスをシームレスに提供することができる。一例（図示されていない）では、モバイルデバイス１２６は、モバイルデバイス１１６と同様に基地局１０２と通信している可能性があり、フェムトセル１２４の指定された範囲内に移動している可能性がある。この点で、モバイルデバイス１２６は、より望ましい無線サービスアクセスを受けるためにフェムトセル１２４に関係する１つまたは複数のセルを再選択している場合がある。一例では、フェムトセル１２４は、より望ましい課金および／または他のアクセスオプションを提供するモバイルデバイス１２６に対するホームアクセスポイントとなりうる。他の例では、フェムトセル１２４は、各企業または現場に合わせて手直しされたオプションまたはデータを提供する企業または現場に関係しうる。したがって、モバイルデバイス１２６は、そのような手直しされたオプションを受け取るために、アイドルおよび／または接続モードで、フェムトセル１２４に関係する１つまたは複数のセルを再選択することができる。それに加えて、モバイルデバイス１２６は、基地局１０２の方へ移動するとともに、さまざまな理由からそれに関係するセルを再選択することができる（例えば、フェムトセル１２４に対する干渉を緩和するため、より最適な信号もしくはスループット向上を受けるため、など）。
【００３１】
サービスエリア上で移動中、モバイルデバイス１１６および／または１２６は、利用可能な基地局（基地局１０２など）、フェムトセル（フェムトセル１２４など）、および／または他のアクセスポイントを連続的に測定して、セル再選択がモバイルデバイス１１６および／または１２６にとっていつ都合がよいかを判定することができる。測定は、例えば、信号品質、スループット、利用可能なサービス、アクセスポイントに関係する無線アクセスプロバイダ、および／または同様のものを評価することを含むことができる。測定結果の１つまたは複数に基づき、モバイルデバイス１１６および／または１２６は、再選択のためにアクセスポイントのランク付けを行うことができる。順序付けを決定した後、モバイルデバイス１１６および／または１２６は、最上位のアクセスポイントに対するセル再選択を試みることができる。それに加えて、モバイルデバイス１１６および／または１２６は、アクセス可能なアクセスポイントおよび／またはアクセス可能なアクセスポイントのグループのリストを維持することができる。アクセス可能なアクセスポイントは、例えば、モバイルデバイス１１６および／または１２６がアクセスを許可されている、および／またはアクセスが他のアクセスポイントより好ましいか、または他の何らかの形で有利であるとされる制限付きアソシエーションアクセスポイントに関係するものとすることができる。
【００３２】
一例では、フェムトセル１２４は、そのような制限付きアソシエーションアクセスポイントとすることができる。制限付きアソシエーションアクセスポイントは、例えば、それぞれのアクセスポイントがいくつかのサービスをいくつかのモバイルデバイス（例えば、モバイルデバイス１１６および／または１２６）に提供するが、必ずしも他のモバイルデバイスまたはアクセス端末（図示されていない）には提供しないいくつかの態様において制限されうる。例えば、フェムトセル１２４は、他のモバイルデバイスまたはアクセス端末に、登録、信号伝達、音声電話、データアクセス、および／または追加サービスを提供しないように制限されうる。制限付きアソシエーションアクセスポイントは、アドホック方式で展開されうる。例えば、所定の自宅所有者が、自宅用に制限付きアクセスポイントを設置し、構成することができる。
【００３３】
一例では、モバイルデバイス１１６および／または１２６は、アクセスポイント（１つまたは複数）に関係するブロードキャスト信号内の１つまたは複数のインジケータの少なくとも一部に基づいて１つまたは複数の利用可能なアクセスポイントを識別することができる。１つまたは複数のインジケータを受信した後、モバイルデバイス１１６および／または１２６は、アクセスポイント（１つまたは複数）がリスト内にあること、または関係するグループ識別子がリスト内にあることを確認してから、セル再選択を試みることができる。他の例では、モバイルデバイス１１６および／または１２６は、ランク付けのためにパラメータを測定する前にそのリストとアクセスポイントとの関連付けを検証することができる。
【００３４】
一例では、基地局１０２および／またはフェムトセル１２４は、１つまたは複数のモバイルデバイス１１６および／または１２６によって受信可能なブロードキャスト信号を送信することができる。ブロードキャスト信号は、通信のためセクタの存在および／または信号強度を識別するために使用されるビーコン信号、その後の信号を受信するために初期通信パラメータを決定するために使用されるパイロット信号、および／または同様の信号とすることができる。それに加えて、ブロードキャスト信号は、制限付きアソシエーションインジケータ、アクセスポイント識別子、アクセスポイントのグループ（共通サービスプロバイダのアクセスポイント、企業またはコミュニティに関係するアクセスポイントなど）に関係するグループ識別子、セクタ識別子、種別識別子、および／または追加のインジケータを含むことができる。制限付きアソシエーションインジケータは、例えば、基地局１０２および／またはフェムトセル１２４へのアクセスが、いくつかのモバイルデバイスおよび／またはそれらのグループに制限されているかどうかを示すことができる。例えば、アクセスポイントは、企業もしくはその従業員が所有するモバイルデバイスが、そのアクセスポイントを利用できる場合に企業に関係するものとすることができる。それに加えて、制限付きアソシエーションインジケータは、制限付きアソシエーションのレベルを示すことができ、アクセスポイントは、すべてのアクセスおよび／または信号伝達アクセス、データアクセス、登録アクセス、サービスアクセス、および／または同様のアクセスを制限することができる。ブロードキャスト信号を受信した後、１つまたは複数のモバイルデバイス１１６および／または１２６は、制限付きアソシエーションインジケータを検出することができる。これは、ブール変数、値の列挙、テキスト識別子、および／または同様のものなどの値とすることができ、インジケータおよび／またはそのいくつかの値の有無を検出できることは理解されるであろう。
【００３５】
インジケータがブロードキャスト信号内に存在するか、または所定の値であって、これにより基地局１０２および／またはフェムトセル１２４が制限付きアソシエーションを実行する場合、モバイルデバイス１１６および／または１２６は、それに加えて、例えば、アクセスポイントおよび／またはグループ識別子を評価し、その識別子とアクセス可能な識別子のリストとを比較することができる。基地局１０２および／またはフェムトセル１２４などのそれぞれのアクセスポイントは、一例において、ブロードキャスト信号内に識別子を含めることができる。識別子は、アクセス可能なアクセスポイントおよび／またはグループ識別子の維持されているリストと比較され、リスト内にあることを確認することができる。そうであれば、基地局１０２および／またはフェムトセル１２４との通信を要求し、および／または確立することができ、これは、一例では、セル再選択の一部とすることができる。制限付きアソシエーションインジケータが偽であるか、またはブロードキャスト信号からはない場合、基地局１０２および／またはフェムトセル１２４へのアクセスは制限されていないので、識別子は必ずしも評価される必要はなく、また存在する必要もない。さらに、セクタ識別子は、一例では、アクセスポイントが制限付きアソシエーションを実行するかどうかを決定するために評価することができる。それに加えて、例えば、インジケータおよび／またはアクセスポイントもしくはグループ識別子は、送信時間、時間間隔、サイズ、周期性、利用される周波数、および／または同様のものをなどのブロードキャスト信号の１つまたは複数の外因的な側面によって指示されうる。モバイルデバイス１１６および／または１２６は、この例では、インジケータおよび／または識別子を決定するために、外因的側面の１つまたは複数を評価することができる。
【００３６】
次に、図２を参照すると、多数のモバイルデバイスをサポートするように構成されている無線通信システム２００が例示されている。システム２００は、例えば、マクロセル２０２Ａ〜２０２Ｇなどの複数のセルに対し通信を提供し、それぞれのセルは対応するアクセスポイント２０４Ａ〜２０４Ｇによるサービスを受ける。すでに説明されているように、例えば、マクロセル２０２Ａ〜２０２Ｇに関係するアクセスポイント２０４Ａ〜２０４Ｇは、基地局とすることができる。モバイルデバイス２０６Ａ〜２０６Ｉは、無線通信システム２００全体におけるさまざまな場所に分散されているように示されている。それぞれのモバイルデバイス２０６Ａ〜２０６Ｉは、説明されているように、順方向リンクおよび／または逆方向リンク上で１つまたは複数のアクセスポイント２０４Ａ〜２０４Ｇと通信することができる。それに加えて、アクセスポイント２０８Ａ〜２０８Ｃも示されている。これらは、フェムトセルなどの、スケールの小さなアクセスポイントとすることができ、説明されているように、特定のサービスロケーションに関係するサービスを提供する。モバイルデバイス２０６Ａ〜２０６Ｉは、それに加えて、提供されるサービスを受け取るためにこれらのスケールの小さなアクセスポイント２０８Ａから２０８Ｃと通信することができる。無線通信システム２００は、一例では広い地理的領域でサービスを提供することができる（例えば、マクロセル２０２Ａ〜２０２Ｇは、近隣の数ブロックをカバーすることができ、フェムトセルアクセスポイント２０８Ａ〜２０８Ｃは、住宅地、オフィスビル、および／または説明されているような同様のものなどの領域内に存在することができる）。一例では、モバイルデバイス２０６Ａ〜２０６Ｉは、放送で、および／またはバックホール接続で、アクセスポイント２０４Ａ〜２０４Ｇおよび／または２０８Ａ〜２０８Ｃとの接続を確立することができる。
【００３７】
それに加えて、図示されているように、モバイルデバイス２０６Ａ〜２０６Ｉは、システム２００全域を移動することができ、また異なるマクロセル２０２Ａ〜２０２Ｇまたはフェムトセルカバレージエリアを通るときにさまざまなアクセスポイント２０４Ａ〜２０４Ｇおよび／または２０８Ａ〜２０８Ｃに関係するセルを再選択することができる。一例では、モバイルデバイス２０６Ａ〜２０６Ｉのうちの１つまたは複数のモバイルデバイスは、フェムトセルアクセスポイント２０８Ａ〜２０８Ｃのうちの少なくとも１つに関係するホームフェムトセルに関連付けられうる。例えば、モバイルデバイス２０６Ｉは、ホームフェムトセルとしてフェムトセルアクセスポイント２０８Ｂに関連付けられうる。したがって、モバイルデバイス２０６Ｉはマクロセル２０２ｂ内にあり、したがってアクセスポイント２０４Ｂのカバレージエリア内にあるけれども、これは、アクセスポイント２０４Ｂの代わりに（またはそれに加えて）フェムトセルアクセスポイント２０８Ｂと通信することができる。一例では、フェムトセルアクセスポイント２０８Ｂは、望ましい課金または料金、分単位使用量、高度サービス（例えば、より高速なブロードバンドアクセス、メディアサービスなど）などの付加的サービスをモバイルデバイス２０６Ｉに提供することができる。したがって、モバイルデバイス２０６Ｉが、フェムトセルアクセスポイント２０８Ｂの範囲内にある場合、これは、再選択においてフェムトセルアクセスポイント２０８Ｂを優遇することによってそれと通信するように制御されうる。
【００３８】
例えば、モバイルデバイス２０６Ｄは、フェムトセルアクセスポイント２０８Ｃに関連付けられうる。モバイルデバイス２０６Ｄが、マクロセル２０２Ｃから２０２Ｄへ移動し、アクセスポイント２０４Ｄおよび／または２０８Ｃに近づくにつれ、これは、本明細書で説明されているように、セル再選択プロセスを開始することができる。これは、例えば、望ましい接続を決定するために周囲セルパラメータ（例えば、アクセスポイント２０４Ｃ、２０４Ｄ、および２０８Ｃに関係する）を測定することを含むことができる。これらのパラメータは、例えば、信号品質、接続スループット、提供されるサービス、アクセスポイントに関係するサービスプロバイダ、および／または同様のものに関係するものとすることができる。モバイルデバイス２０６Ｄは、それに加えて、説明されているように、アクセス可能なアクセスポイントのリスト内に載っているとおりであるかアクセスポイントの識別子を検証することができる。このリストは、それに加えて、または代替として、アクセスポイントのグループ識別子をリスト内のグループ識別子で検証できるアクセスポイントのグループを識別することができる。前記の例では、モバイルデバイス２０６Ｄは、アクセスポイント２０４Ｃ、２０４Ｄ、および２０８Ｃに対するパラメータを測定して、セルのランク付けを行い、アクセスポイント２０４Ｃから他のアクセスポイントのうちの１つへのセル再選択を、そのランクが高い場合に実行するかどうかを決定することができる。前の例と同様に、フェムトセルアクセスポイント２０８Ｃが、モバイルデバイス２０６Ｄのホームフェムトセルに関係する場合、これは、それを再選択のために優遇することができる（例えば、加えられたパラメータオフセットを評価してその値および／またはヒステリシスを増やし他のアクセスポイントのパラメータ値を減らすことによって）。異なるアクセスポイント２０４Ｄおよび／または２０８Ｃのうちの１つまたは複数が、アクセスポイント２０４Ｃよりランクが上である場合、モバイルデバイス２０６Ｄは、アイドルモードであるか、または接続モードであるかに関係なく、異なるアクセスポイント２０４Ｄまたは２０８Ｃに関係する１つまたは複数のセルを再選択することができる。
【００３９】
一例では、異なるアクセスポイント２０４Ｄおよび／または２０８Ｃのうちの１つまたは複数は、一部のモバイルデバイスでは接続できない制限付きアソシエーションを実行することができ、および／またはアクセスポイント２０４Ｄおよび／または２０８Ｃは、信号伝達、データアクセス、登録、サービス、および／または同様のことを提供することに関していくつかのモバイルデバイスを制限することができる。これは、例えば、モバイルデバイスのサービスプロバイダおよび制限付きアソシエーションアクセスポイントに少なくとも一部は基づくものとすることができる。他の例では、制限付きアソシエーションアクセスポイントは、アクセスを企業発行モバイルデバイスにのみ制限する企業アクセスポイントなどのいくつかのモバイルデバイスに関係するものとすることができる。したがって、モバイルデバイス２０６Ｄが、制限付きアソシエーションがあるため異なるアクセスポイント２０４Ｄおよび／または２０８Ｃのうちの１つまたは複数に関係するセルを再選択することができない場合、これは、接続先にできるアクセスポイントが見つかるまで他のランク付けされたアクセスポイントのうちの１つまたは複数でセル再選択を試みることができる。モバイルデバイス２０６Ｄが、関連付けが制限されているためアクセスポイント２０４Ｄおよび／または２０８Ｃに接続できない場合、これは、制限の理由を示す制限コードを受信することができる。
【００４０】
さらに、説明されているように、モバイルデバイス２０６Ａ〜２０６Ｉは、アクセス可能なアクセスポイントおよび／またはそのグループのリストを維持することができる。一例では、このリストには、他の種別のアクセスポイント（マクロセルなど）は実質的にどのようなモバイルデバイスからでもアクセス可能であるため、特定のいくつかの種別のアクセスポイント（フェムトセルなど）しか含めることができない。アクセス可能なアクセスポイントおよび／またはグループのリストは、最初は、例えば、説明されているように、基礎となる無線ネットワークから情報を取り出すことができる、モバイルデバイス２０６Ａ〜２０６Ｉと通信している１つまたは複数のアクセスポイントで埋められているものとすることができる。モバイルデバイス２０６Ａ〜２０６Ｉが、無線システム２００のカバレージエリア全域を移動し、説明されているようにセルを再選択すると、これは、最初に、セルを関連するリスト内に存在しているものとして検証することができる。一例では、モバイルデバイス２０６Ａ〜２０６Ｉが、説明されているように測定結果に基づいて１つまたは複数のフェムトセルアクセスポイント２０８Ａ〜２０８Ｃが最上位のセルであると判定した場合、これは、各フェムトセルアクセスポイントがリストに載っていることを検証できる。そうでない場合、モバイルデバイス２０６Ａ〜２０６Ｉは、フェムトセルアクセスポイントへのアクセスを試みないことを決定することができ、また次に高いランクのアクセスポイントと接続を試み、および／または異なる頻度で他のアクセスポイントを特定することを試みることができる。
【００４１】
上述のように、アクセスポイント２０４Ａ〜２０４Ｇおよび／または２０８Ａ〜２０８Ｃは、アクセスポイントおよび／または関係するセクタの存在を示し、初期通信パラメータを指定し、および／または同様のことをするために使用できるブロードキャスト信号を送信することができる。それに加えて、ブロードキャスト信号は、アクセスポイント２０４Ａ〜２０４Ｇおよび／または２０８Ａ〜２０８Ｃが、説明されているように、アクセスポイントおよび／または対応するアクセスポイントグループについて制限付きアソシエーションおよび／または関係する識別子を実装するかどうかを指示することができる。ブロードキャスト信号は、それに加えて、一例において、関係するセクタ、アクセスポイントの種別などを識別することができる。モバイルデバイス２０６Ａ〜２０６Ｉは、この情報を使用して、ランクの高いアクセスポイントが制限付きアソシエーションを実行するかどうかを判定し、もしそうならば、そのアクセスポイントがアクセス可能なアクセスポイントの維持されているリスト内にあるかどうかを判定することができる。リスト内にあれば、モバイルデバイス（１つまたは複数）は、上述のように、アクセスポイントとの接続確立を要求し、および／または接続を確立することができる。説明されているように、ブロードキャスト信号の外因的な側面を使用して、指定された制限付きアソシエーション情報を指示し、決定することができ、外因的な側面は、ブロードキャスト信号の種別、持続時間、周期性、時間間隔、長さ、周波数、および／または同様のものを含むことができることは理解されるであろう。
【００４２】
図３を参照すると、無線通信環境内で使用するための通信装置３００が示されている。通信装置３００は、基地局またはその一部、モバイルデバイスまたはその一部、または無線通信環境において送信されたデータを受信する実質的に任意の通信装置とすることができる。送信装置３００は、信号を送信するアクセスポイント（図示されていない）に関連付けられている制限付きアソシエーションパラメータを決定するために１つまたは複数のブロードキャスト信号を分析するブロードキャスト信号評価器３０２、確立可能な接続先となるアクセス可能なアクセスポイントのリストを維持するアクセスリストコントローラ３０４、およびアクセスポイントのうちの１つまたは複数のとの接続を要求し、および／または確立する接続要求器３０６を備えることができる。一例では、接続要求器３０６は、初期接続を要求し、および／または確立することができるが、それに加えて、接続要求器３０６は、セル再選択時に接続を要求することもできる。
【００４３】
一例によれば、ブロードキャスト信号評価器３０２は、無線通信サービスを受けるために接続する相手であるアクセスポイントを決定するために１つまたは複数のアクセスポイントによって送信される１つまたは複数のブロードキャスト信号を分析することができる。例えば、ブロードキャスト信号評価器３０２は、関連するアクセスポイントの制限付きアソシエーションに関係する１つまたは複数のインジケータおよび／または識別子を示すことができる信号の１つまたは複数の内因的な、および／または外因的な側面を決定することができる。一例では、制限付きアソシエーションインジケータは、関連付けられているアクセスポイントが含まれるインジケータの少なくとも一部に基づいて制限付きアソシエーションを実行するかどうかをブロードキャスト信号評価器３０２が決定することができるようにブロードキャスト信号に含まれるようにできる（例えば、１つまたは複数のパラメータとして）。制限付きアソシエーションのそのような指示は、説明されているように、信号の種別、持続時間、周期性、時間間隔、周波数などの少なくとも一部に基づいて決定されうることは理解されるであろう。
【００４４】
ブロードキャスト信号評価器３０２は、アクセスポイントが制限付きアソシエーションを実行すると判定した場合、ブロードキャスト信号評価器３０２は、アクセスポイント識別子および／または信号内に存在するか、または説明されているように外因的な側面によって識別されるアクセスポイントのグループに関係する識別子をさらに決定することができる。識別子は、例えば、テキストベース、プリミティブ型、列挙型、および／または同様の型とすることができる。アクセスリストコントローラ３０４は、アクセス可能なアクセスポイントおよび／またはグループの維持されているリスト中に決定されたアクセスポイント識別子および／またはグループ識別子が存在することを検証することができる。識別子がリスト内にある場合、接続要求器３０６は、アクセスポイントとの接続を要求することができる。アクセスリストコントローラ３０４が、それに加えてまたはその代わりに、接続が禁止されているアクセスポイントおよび／または関連するグループのリストを維持することができ、この場合、アクセスリストコントローラ３０４は、アクセスポイントおよび／またはグループ識別子がリスト内にないと確認することは理解されるであろう。制限付きアソシエーションインジケータが、ブロードキャスト信号評価器３０２によって判定されたように、ブロードキャスト信号内に存在していない場合、アクセスポイントが制限付きアソシエーションを実行しないので、接続要求器３０６はそのアクセスポイントとの接続を要求することができる。したがって、一例では、アクセスポイントおよび／またはグループ識別子は、通信装置３００のリソースを節約するために必要な場合にのみ読み出せばよい。
【００４５】
接続要求器３０６は、それに加えて、上述のように、セル再選択時にブロードキャスト信号の少なくとも一部に基づいて接続を要求することができる。これは、一例では、送信装置３００のアイドルおよび／または接続モードのときに実行されうる。それに加えて、セクタ識別子は、ブロードキャスト信号評価器３０２によって、説明されているように、ブロードキャスト信号の内因的な、および／または外因的な側面から決定されうる。例えば、セクタ識別子に基づいて、ブロードキャスト信号評価器は、関係するアクセスポイントの種別および／または制限付きアソシエーション側面を決定することができる。したがって、この例では、明示的な制限付きアソシエーションインジケータは、受信または分析される必要はない。一例では、アクセスリストコントローラ３０４は、アクセスポイントのセクタ識別子に基づいてアクセスポイントの制限付きアソシエーション情報をキャッシュし、明示的な制限付きアソシエーションインジケータを受信する必要はない。さらに、例えば、セクタ識別子は、アクセスリストコントローラ３０４が、識別子を制限付きアソシエーションアクセスポイントとして、または他の形で関連付けることができるように一意的であり、および／または特定の範囲内にあるものとすることができる。説明されているように、セクタ識別子が、制限付きアソシエーションアクセスポイントに関係するものとして判定された場合、アクセスポイントまたはグループ識別子は、ブロードキャスト信号から決定され、説明されているように、アクセスリストコントローラ３０４は、その制限付きアソシエーションアクセスポイントへのアクセスを許可されていると判定することができる。さらに、制限付きアソシエーションインジケータは、ブロードキャスト信号評価器３０２によって外因的な情報から導出されようと、または内因的な情報から導出されようと、信号伝達、データアクセス、登録、およびサービスに関する制限付きアソシエーション、および／または同様のものを示すことができる。
【００４６】
次に、図４を参照すると、ブロードキャスト信号内の制限付きアソシエーション情報を示すことを容易にする無線通信システム４００が例示されている。無線デバイス４０２、アクセスポイント４０４、および／または制限付きアソシエーションアクセスポイント４０６は、基地局、フェムトセル、モバイルデバイス、またはそれらの一部とすることができる。一例では、無線デバイス４０２は、逆方向リンクまたはアップリンクチャネルでアクセスポイント４０４および／または制限付きアソシエーションアクセスポイント４０６に情報を送信することができ、他の無線デバイス４０２は、順方向リンクまたはダウンリンクチャネルでアクセスポイント４０４または制限付きアソシエーションアクセスポイント４０６から情報を受信することができる。さらに、システム４００は、ＭＩＭＯシステムとすることができる。また、無線デバイス４０２に含まれる図に示され、以下で説明されるコンポーネントおよび機能は、一例では、アクセスポイント４０４および／または制限付きアソシエーションアクセスポイント４０６にも同様に存在し、またその逆もありえ、ただし、図に示されている構成では、説明を簡単にするためにこれらのコンポーネントを省いている。
【００４７】
無線デバイス４０２は、アクセスポイント４０４および制限付きアソシエーションアクセスポイント４０６などの、１つまたは複数のアクセスポイントから送信された１つまたは複数のブロードキャスト信号を受信することができるブロードキャスト信号受信機４０８、ブロードキャスト信号の少なくとも一部に基づいてアクセスポイントに関係する制限付きアソシエーション指示を決定することができる制限付きアソシエーションインジケータ識別器４１０、ブロードキャスト信号に基づいてアクセスポイントおよび／またはグループ識別子を取得することができるアクセスポイント識別子判定器４１２、アクセス可能なアクセスポイントおよび／またはアクセスポイントのグループのリストを維持することができるアクセスリストコントローラ４１４、ならびに前述のようなアクセスポイント４０４および４０６に関係する１つまたは複数のセルを再選択することができるセル再選択器４１６を備える。一例では、セル再選択器４１６は、それに加えて、説明されているように、セル測定、ランク付け、および再選択を実行することができる。
【００４８】
制限付きアソシエーションアクセスポイント４０６は、多数のモバイルデバイスが信号を（例えば、ビーコンまたはパイロット信号として）受信できるようにブロードキャストできる、信号を作成することができるブロードキャスト信号生成器４１８、およびブロードキャスト信号内に１つまたは複数の制限付きアソシエーションインジケータおよび／または識別子を組み込むことができる制限付きアソシエーション指定器４２０を備えることができる。一例では、制限付きアソシエーション指定器４２０は、制限付きアソシエーションインジケータおよび／または識別子をブロードキャスト信号の一部において１つまたは複数のパラメータとして指定することができる。それに加えて、またはその代わりに、制限付きアソシエーション指定器４２０は、使用される周波数、１つまたは複数の副搬送波またはこれらの組合せ、持続時間、時間間隔、周期性、および／または同様のものなどのインジケータおよび／または識別子を示すようにブロードキャスト信号の送信に関係する１つまたは複数のパラメータを修正することができる。さらに、前記の例の組合せを使用して、制限付きアソシエーション情報を伝達することができる。
【００４９】
一例によれば、ブロードキャスト信号生成器４１８は、制限付きアソシエーションアクセスポイント４０６の１つまたは複数の側面を識別する送信のためのブロードキャスト信号を作成することができる。一例では、ブロードキャスト信号は、制限付きアソシエーションアクセスポイント４０６の存在をデバイスが検出するために使用できるビーコン信号とすることができる。他の例では、ブロードキャスト信号は、制限付きアソシエーションアクセスポイント４０６とのその後の通信を容易にするためのタイミングおよび他のパラメータをモバイルデバイスが決定するために使用できるパイロット信号とすることができる。ブロードキャスト信号は、例えば、一例ではセクタ識別子などの識別情報を備えることができる。制限付きアソシエーション指定器４２０は、ブロードキャスト信号を使用して追加の情報を含めることができる。例えば、アクセスポイント種別識別子、制限付きアソシエーション識別子、アクセスポイント識別子、関係するアクセスポイントのグループに関係する識別子、および／または他の情報を、ブロードキャスト信号のパラメータとして含めることができる。他の例では、前記は、説明されているようなブロードキャスト信号の１つまたは複数の側面（例えば、持続時間、周期性、周波数、使用される副搬送波、時間間隔など）に影響を及ぼすことによって指示されうる。制限付きアソシエーションアクセスポイント４０６は、それに応じて、ブロードキャスト信号を送信することができる。
【００５０】
それに加えて、無線デバイス４０２は、無線通信サービスを受けるためにアクセスポイント４０４と通信していることがある。セル再選択器４１６は、それに関係する測定結果を判定する周囲セルを継続的に監視することができ、説明されているように、再選択のためにセルをランク付けすることができる。一例では、制限付きアソシエーションアクセスポイント４０６は、高いランクを付けることができ、これは、前に説明されているように、制限付きアソシエーションアクセスポイント４０６が、無線デバイス４０２用のホームアクセスポイントであり、閾値信号強度を有し、有利なサービスを決定しており、および／または同様のことを行っているからである。この点で、ブロードキャスト信号受信機４０８は、セル再選択器が関連付けられているパラメータを測定することを決定した後、制限付きアソシエーションアクセスポイント識別器４０６によって送信されるブロードキャスト信号を受信することができる。
【００５１】
ブロードキャスト信号を受信した後、制限付きアソシエーションインジケータ識別器４１０を使用して、信号から制限付きアソシエーションインジケータを決定することができる。一例では、これは、明示的なパラメータであり、および／または説明されているように、信号の外因的な側面に基づくものとすることができる。他の例では、制限付きアソシエーションインジケータ識別器４１０は、セクタ識別子の少なくとも一部に基づいて指示を決定することができる。例えば、セクタ識別子は、制限付きアソシエーションアクセスポイントに対し指定された範囲内にあることによってそのような指示に関連付けることができる。それに加えて、制限付きアソシエーションアクセスポイント４０６との最初の確立後、または確立を拒否された後、無線デバイス４０２は、セクタ識別子を格納し、その後の通信確立を要求するか、または要求しないときにそれを使用することができる。
【００５２】
制限付きアソシエーションインジケータ識別器４１０は、制限付きアソシエーションアクセスポイント４０６が、制限付きアソシエーションを実行すると判定した場合、アクセスポイント識別子判定器４１２を使用して、アクセスポイント識別子、および／または関係するグループ識別子をブロードキャスト信号から決定することができる。決定された識別子を、アクセスリストコントローラ４１４によって維持されているアクセス可能なアクセスポイントおよび／またはグループのリストと比較することができる。識別子がリスト内にある場合、セル再選択器４１６は、説明されているように、制限付きアソシエーションアクセスポイントに接続確立を要求することができる。そうでない場合、セル再選択器４１６は、リスト内の次のセルに移動して、一例では、関連付けられているブロードキャスト信号がブロードキャスト信号を受信機４０８によって受信されうる。それに加えて、無線デバイスは、決定された制限付きアソシエーション情報の少なくとも一部に基づいて制限付きアソシエーションアクセスポイント４０６との接続を最初に確立することができることは理解されるであろう。説明されているように、制限付きアソシエーションインジケータは、一例では、論理インジケータとすることができるが、インジケータは、一例では、信号伝達、データアクセス、登録、サービス、および／または同様のものについて制限を指定する多値変数であってもよい。それに加えて、アクセスポイントおよび／またはグループ識別子は、上述のように、テキストベース、プリミティブ型、列挙型、データ構造体、および／または同様の型とすることができる。
【００５３】
図５〜７を参照すると、セル再選択およびブロードキャストアクセスポイントの種別および／または制限付きアソシエーションインジケータに関係する方法が示されている。説明を簡単にするために、方法が図に示され、一連の活動として記述されているが、方法は、活動の順序によって制限されるわけではなく、いくつかの活動は、１つまたは複数の実施形態により、図に示され、本明細書で説明しているのと異なる順序で、および／または他の活動と同時に実行されうることが理解され、認識されるであろう。例えば、当業者であれば、代替として方法を一連の相互に関連のある状態またはイベントとして状態図などの中に表されることが可能であることを理解し、了解するであろう。さらに、１つまたは複数の実施形態による方法を実施するために、例示されているすべての活動が必要なわけではない。
【００５４】
図５を参照すると、無線通信におけるセル再選択を容易にする方法５００が、示されている。５０２では、周囲セルが、それらに関係する１つまたは複数のパラメータを決定するために測定される。説明されているように、パラメータは、信号強度、スループットなどの通信計量、および／またはアクセスポイント識別子、グループ識別子、セクタ識別子、提供されるサービス、関係するアクセスプロバイダなどの１つまたは複数の追加の考慮事項に関係しうる。それに加えて、パラメータは、機能強化された課金の態様、追加のサービス、または速度、および／または同様のものを提供する、ホームアクセスポイントによって提供されているセルに関係しうる。これらのパラメータは、望ましいアクセスポイント（例えば、ホームアクセスポイントなど）の考慮を高め、他のアクセスポイントの考慮を減らすためのオフセットまたはヒステリシスにも関係しうる。５０４で、周囲セルは、決定されたパラメータに従ってランク付けされうる。ランク付けは、無線通信サービスの提供元となる望ましいセルの順序を示すことができる。
【００５５】
５０６で、最上位のセルが現在使用されているセルかどうかを判定できる。このような判定は、最適なアクセスポイントとの接続を確実なものとするために使用できる。最上位のセルが、無線通信を受けるために現在使用されているセルである場合、この方法は、ステップ５０２に戻り、再び、周囲セルを測定する。これは、ネットワークをセル測定で氾濫させないため、またはセルを常時測定してリソースを消費しないように、一例ではタイマーに基づくものとすることができる。最上位のセルが、現在使用されているセルでない場合、５０８で、本明細書で説明されているように、セル再選択を実行して最上位のセルへのセル再選択を実行することができる。一例では、セル再選択が完了した後、一例における方法はステップ５０２に戻り、周囲セルの測定を続行することができることが理解されるであろう。説明されているように、アクセスポイントは、基地局、フェムトセル、および／または同様のものとすることができる。
【００５６】
図６を参照すると、無線通信ネットワーク内の１つまたは複数のアクセスポイントとの通信を確立する方法６００が示されている。６０２で、制限付きアソシエーションインジケータは、受信されたブロードキャスト信号から決定されうる。例えば、説明されているように、インジケータは、ブロードキャスト信号内で指定されている１つまたは複数のパラメータおよび／または、説明されているような周波数、使用される副搬送波、時間間隔、周期性、長さなどの信号の１つまたは複数の外因的な側面の少なくとも一部に基づいて決定されうる。６０４で、インジケータに基づいてブロードキャスト信号からアクセスポイントグループ識別子を取得することができる。したがって、少なくともいくつかの制限付きアソシエーションがインジケータによって指示された場合、アクセスポイントからのアクセスを必ず受け取れるようにグループ識別子を決定することができる。この点において、６０６で、グループ識別子が、アクセス可能なグループ識別子の維持されているリスト内にあるかどうかを判定することができる。リストは、グループ識別子に基づいて、アクセスが拒否される可能性の高いアクセスポイントとの接続を要求するリソースの消費を軽減するために維持できる（例えば、識別子は、アクセスが提供されるデバイスを制限するアクセスポイントのプロバイダに関係付けることができる）。６０８で、識別子が維持されているリスト内にある場合に関係するアクセスポイントとの通信を確立することができる。これは、前述のように、初期通信確立および／またはセル再選択とすることができる。
【００５７】
図７を参照すると、アクセスポイントおよび／またはその種別に関する情報を送信する方法７００が、示されている。７０２で、アクセスポイントの種別が決定されるが、これは、例えば、１つまたは複数の制限付きアソシエーション実装に関係するものとすることができる。これらの種別は、制限付きアソシエーションに関係するか、または制限付きアソシエーションに関係しない場合もあるか、または例えば、説明されているように、さまざまな制限レベルを示す種別の列挙とすることもできる。７０４で、その種別に応じてアクセスポイントを識別するためのブロードキャスト信号が生成されうる。信号は、一例ではアクセスポイントの種別に関係するパラメータ、および／またはアクセスポイントの関係するグループを識別することに関係するパラメータを含みうる。７０６で、アクセスポイントおよび種別を識別するために無線ネットワーク上で、ブロードキャスト信号を送信することができる。したがって、説明されているように、ブロードキャスト信号は、アクセスポイントの種別を示すように送信することができる。例えば、ブロードキャスト信号の時間間隔、周波数、長さなどは、１つまたは複数のモバイルデバイスによって決定されるような種別を示すことができる。これにより、説明されているように、非制限付きの種別とは反対に、制限付きアソシエーションの種別が示されている場合モバイルデバイスがさらに問い合わせすることができるように効率的な識別が行いやすくなる。
【００５８】
本明細書で説明されている１つまたは複数の態様により、パラメータを測定すること、パラメータ（および／または追加のパラメータ）に従ってセルをランク付けすることなどのセル再選択の多くの態様、さらには説明されているような実際の再選択の態様（再選択を実行する時期など）についても推論することができることは理解されるであろう。本明細書で使用しているように、「推論する」または「推論」という用語は、一般に、イベントおよび／またはデータを介して得られるような一組の観察結果から、システム、環境、および／またはユーザの状態を推理または推論するプロセスを指す。推論は、特定のコンテキストまたはアクションを識別するために使用されることができ、または例えば、複数の状態にわたる確率分布を生成することができる。推論は確率的であってよい、つまり、データおよびイベントの考察に基づいて注目している状態上の確率分布を計算することができる。推論は、さらに、一組のイベントおよび／またはデータから高水準のイベントを構成するために使用される手法を指す場合もある。このような推論を行うことで、イベント同士が時間的に近い関係による相関関係があるかどうか、またイベントおよびデータが１つまたは複数のイベントおよびデータソースを発生元としているかどうかに関係なく、一組の観察されたイベントおよび／または格納されているイベントデータから新しいイベントまたはアクションが構築される。一例では、推論は、１つまたは複数のデバイスから他の情報を受信することの少なくとも一部に基づいて測定時にセルのパラメータを決定する際に追加的に行うことができる。
【００５９】
図８は、ブロードキャスト信号の少なくとも一部に基づいてアクセスポイントに関係する側面を決定することを容易にするモバイルデバイス８００を示している。モバイルデバイス８００は、例えば、受信アンテナ（図に示されていない）から信号を受信し、受信された信号に対し典型的なアクションを実行し（例えば、フィルタ処理、増幅、ダウンコンバートなどを行い）、調整信号を２値化してサンプルを得る受信機８０２を備える。受信機８０２は、受信したシンボルを復調し、それらのシンボルをチャネル推定のためプロセッサ８０６に送ることができる復調装置８０４を備えることができる。プロセッサ８０６は、受信機８０２によって受信された情報を分析し、および／または送信機８１６よる送信のため情報を生成することを専ら行うプロセッサ、モバイルデバイス８００の１つまたは複数のコンポーネントを制御するプロセッサ、および／または受信機８０２によって受信された情報を分析し、送信機８１６による送信のため情報を生成し、モバイルデバイス８００の１つまたは複数のコンポーネントを制御する作業すべてを行うプロセッサとすることができる。
【００６０】
モバイルデバイス８００は、それに加えて、プロセッサ８０６に動作可能なように結合され、送信すべきデータ、受信されたデータ、利用可能なチャネルに関係する情報、分析された信号および／または干渉強度に関連するデータ、割り当てられたチャネル、電力、速度などに関係する情報、およびチャネルを推定し、チャネルを介して通信するのに適した他の情報を格納することができるメモリ８０８を備えることができる。メモリ８０８は、それに加えて、チャネル（例えば、性能ベース、容量ベースなど）を推定し、および／または利用することに関連するプロトコルおよび／またはアルゴリズムを格納することができる。
【００６１】
本明細書で説明されているデータストア（例えば、メモリ８０８）は、揮発性メモリまたは不揮発性メモリのいずれかであるか、または揮発性メモリと不揮発性メモリの両方を備えることができることは理解されるであろう。例えば、限定はしないが、不揮発性メモリとしては、読み取り専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、またはフラッシュメモリが挙げられる。揮発性メモリとしては、外部キャッシュメモリとして動作するランダムアクセスメモリ（ＲＡＭ）が挙げられる。例えば、限定はしないが、利用可能なＲＡＭとしては、同期ＲＡＭ（ＳＲＡＭ）、ダイナミックＲＡＭ（ＤＲＡＭ）、同期ＤＲＡＭ（ＳＤＲＡＭ）、Ｄｏｕｂｌｅ  Ｄａｔａ  Ｒａｔｅ  ＳＤＲＡＭ（ＤＤＲ  ＳＤＲＡＭ）、Ｅｎｈａｎｃｅｄ  ＳＤＲＡＭ（ＥＳＤＲＡＭ）、Ｓｙｎｃｈｌｉｎｋ  ＤＲＡＭ（ＳＬＤＲＡＭ）、およびＤｉｒｅｃｔ  Ｒａｍｂｕｓ  ＲＡＭ（ＤＲＲＡＭ）などさまざまな形態のものが挙げられる。本発明のシステムおよび方法のメモリ８０８は、限定はしないが、これらのメモリおよび他の好適な種類のメモリを備えることを意図されている。
【００６２】
プロセッサ８０６は、アクセス可能なアクセスポイントのリストを維持することができるアクセスリストコントローラ８１０に動作可能なようにさらに結合されうる。説明されているように、このリストは、制限付きアソシエーションアクセスポイントおよび／またはこれに関係するグループに対する識別子を備えることができる。この点で、制限付きアソシエーションアクセスポイントへのアクセスを要求する際に、アクセスリストコントローラ８１０に問い合わせることができる。こうすることで、モバイルデバイス８００が、モバイルデバイス８００に関してアソシエーションが制限されているアクセスポイントとの接続確立を要求するリソースを消費しないようにすることができる。それに加えて、プロセッサ８０６および／または受信機８０２は、アクセスポイントに関係する制限付きアソシエーション情報を決定するために異なるアクセスポイントから受信されたブロードキャスト信号を分析することができるブロードキャスト信号評価器８１２に動作可能なようにさらに結合されうる。
【００６３】
例えば、ブロードキャスト信号評価器８１２は、説明されているように、ブロードキャスト信号の１つまたは複数の内因的な側面（例えば、パラメータ）および／または外因的な側面（例えば、周波数、時間間隔、周期性など）の少なくとも一部に基づいて制限付きアソシエーションインジケータを決定することができる。この情報を使用すると、モバイルデバイス８００は、アクセスリストコントローラ８１０による検証のためにアクセスポイントグループ識別子（ブロードキャスト信号によっても指示されうる）などの追加情報を要求する必要があるかどうかを効率的に判定することができる。モバイルデバイス８００は、さらに、信号を変調する変調装置８１４、および例えば、基地局、他のモバイルデバイスなどに信号を送信する送信機８１６を備える。プロセッサ８０６から分離しているように図に示されているけれども、アクセスリストコントローラ８１０、ブロードキャスト信号評価器８１２、復調装置８０４、および／または変調装置８１４は、プロセッサ８０６または複数のプロセッサ（図に示されていない）の一部であってもよいことは理解されるであろう。
【００６４】
図９は、無線通信ネットワーク上で繰り返し送信されるブロードキャスト信号内の制限付きアソシエーション情報を指定することを容易にするシステム９００を示している。システム９００は、複数の受信アンテナ９０６を通じて１つまたは複数のモバイルデバイス９０４から信号（１つまたは複数）を受信する受信機９１０、および送信アンテナ９０８を通じて１つまたは複数のモバイルデバイス９０４に送信する送信機９２４を有する基地局９０２（例えば、アクセスポイント、フェムトセル、．．．）を備える。受信機９１０は、受信アンテナ９０６から情報を受信することができ、受信された情報を復調する復調装置９１２に動作可能なように関連付けられている。復調されたシンボルは、図８に関して上で説明されているプロセッサに類似していてもよい、また信号（例えば、パイロット）強度および／または干渉強度を推定することに関係する情報、（複数の）モバイルデバイス９０４（または異なる基地局（図に示されていない））に送信されるか、または（複数の）モバイルデバイス９０４（または異なる基地局（図に示されていない））から受信されるべきデータ、および／または本明細書で述べられているさまざまなアクションおよび機能を実行することに関係する他の好適な情報を格納するメモリ９１６に結合されている、プロセッサ９１４によって解析される。プロセッサ９１４は、基地局９０２を１つまたは複数のモバイルデバイス９０４に対し識別するためのブロードキャスト信号を生成するブロードキャスト信号生成器９１８およびブロードキャスト信号を使用して基地局の種別を指定する種別インジケータ（指示器）９２０にさらに結合される。
【００６５】
一例によれば、ブロードキャスト信号生成器９１８は、ビーコンおよび／またはパイロット信号などのブロードキャスト信号を作成することができ、種別インジケータ９２０は、信号内に種別に関係するパラメータを指定することができる。これらのパラメータは、基地局に関係する１つまたは複数の制限付きアソシエーション実装を指定することに関係しうる。それに加えて、またはその代わりに、種別インジケータ９２０は、種別の少なくとも一部に基づいてブロードキャスト信号を送信するためのパラメータを指定することができる。これらのパラメータは、例えば、説明されているように、ブロードキャスト信号を送信するための時間間隔、送信の周期性、周波数、使用する副搬送波、長さ、および／または同様のものに関係するものとしてよい。送信機９２４は、これらのパラメータに従って信号ブロードキャストすることができる。いずれの場合も、モバイルデバイス（１つまたは複数）９０４は、説明されているように、基地局９０２に関係する制限付きアソシエーションおよび／または種別情報を識別することができる。さらに、プロセッサ９１４から分離しているように図示されているけれども、ブロードキャスト信号生成器９１８、種別インジケータ９２０、復調装置９１２、および／または変調装置９２２は、プロセッサ９１４または複数のプロセッサ（図示されていない）の一部であってもよいことは理解されるであろう。
【００６６】
図１０は、例示的な無線通信システム１０００を示している。無線通信システム１０００は、簡単にするため１つの基地局１０１０および１つのモバイルデバイス１０５０として示されている。しかし、システム１０００は、複数の基地局および／または複数のモバイルデバイスを備えることができ、追加の基地局および／またはモバイルデバイスは、後述の例の基地局１０１０およびモバイルデバイス１０５０に実質的に類似していても異なっていてもよいことは理解されるであろう。それに加えて、基地局１０１０および／またはモバイルデバイス１０５０は、本明細書で説明されているシステム（図１〜４および８〜９）、および／または方法（図５〜７）を使用することでそれらの間の無線通信を容易に行えるようにできることは理解されるであろう。
【００６７】
基地局１０１０では、多数のデータストリームのトラヒックデータが、データソース１０１２から送信（ＴＸ）データプロセッサ１０１４に送られる。一例によれば、それぞれのデータストリームは、各アンテナで送信されうる。ＴＸデータプロセッサ１０１４は、そのデータストリームについて選択された特定のコード体系に基づいてトラヒックデータストリームをフォーマットし、符号化し、インターリーブして、符号化データを出力する。
【００６８】
それぞれのデータストリームについて符号化されたデータは、直交周波数分割多重（ＯＦＤＭ）技術を使用してパイロットデータと多重化できる。それに加えて、またはその代わりに、パイロットシンボルは、周波数分割多重化されるか（ＦＤＭ）、時分割多重化されるか（ＴＤＭ）、または符号分割多重化されうる（ＣＤＭ）。パイロットデータは、典型的には、知られている方法で処理され、チャネル応答を推定するためにモバイルデバイス１０５０において使用できる知られているデータパターンである。それぞれのデータストリームに対する多重化されたパイロットおよび符号化データは、そのデータストリームに対し選択された特定の変調方式（例えば、二位相偏移変調（ＢＰＳＫ）、四位相偏移変調（ＱＰＳＫ）、Ｍ位相偏移変調（Ｍ−ＰＳＫ）、またはＭ値直交振幅変調（Ｍ−ＱＡＭ）など）に基づいて変調され（つまり、シンボルマッピングされ）、変調シンボルを出力することができる。それぞれのデータストリームに対するデータ転送速度、符号化、および変調は、プロセッサ１０３０によって実行されるか、または与えられる命令によって決定されうる。
【００６９】
データストリームに対する変調シンボルが、ＴＸ  ＭＩＭＯプロセッサ１０２０に送られ、そこでさらに、変調シンボルを処理することができる（例えば、ＯＦＤＭ用に）。次いで、ＴＸ  ＭＩＭＯプロセッサ１０２０は、ＮＴ個の変調シンボルストリームをＮＴ個の送信機（ＴＭＴＲ）１０２２ａ〜１０２２ｔに送る。さまざまな実施形態において、ＴＸ  ＭＩＭＯプロセッサ１０２０は、ビームフォーミング重みをデータストリームのシンボルに適用し、またシンボルの送信元であるアンテナに適用する。
【００７０】
それぞれの送信機１０２２は、それぞれのシンボルストリームを受信し、処理して、１つまたは複数のアナログ信号を生成し、さらに、それらのアナログ信号を調整（例えば、増幅、フィルタ処理、およびアップコンバート）して、ＭＩＭＯチャネルで伝送するのに適した変調信号を生成する。さらに、送信機１０２２ａ〜１０２２ｔのＮＴ個の変調信号は、ＮＴ個のアンテナ１０２４ａ〜１０２４ｔからそれぞれ送信される。
【００７１】
モバイルデバイス１０５０では、送信された変調信号は、ＮＲ個のアンテナ１０５２ａ〜１０５２ｒにより受信され、それぞれのアンテナ１０５２からの受信された信号は、それぞれの受信機（ＲＣＶＲ）１０５４ａ〜１０５４ｒに送られる。それぞれの受信機１０５４は、それぞれの信号を調整（例えば、フィルタ処理、増幅、およびダウンコンバート）し、調整信号を２値化して、サンプルを形成し、さらに、それらのサンプルを処理して対応する「受信」シンボルストリームを形成する。
【００７２】
ＲＸデータプロセッサ１０６０は、特定の受信機処理技術に基づいてＮＲ個の受信機１０５４からＮＲ個の受信機シンボルストリームを受信して、処理し、ＮＴ個の「検出」シンボルストリームを形成することができる。ＲＸデータプロセッサ１０６０は、それぞれの検出シンボルストリームを復調し、逆インターリーブし、復号して、そのデータストリームに対するトラヒックデータを復元することができる。ＲＸデータプロセッサ１０６０による処理は、基地局１０１０におけるＴＸ  ＭＩＭＯプロセッサ１０１４およびＴＸデータプロセッサ１０２０により実行される処理を補完するものである。
【００７３】
プロセッサ１０７０は、上述のようにどのプリコーディング行列を使用するかを定期的に決定することができる。さらに、プロセッサ１０７０は、行列添え字部分および階数値部分を備える逆方向リンクメッセージを構成することができる。
【００７４】
逆方向リンクメッセージは、通信リンクおよび／または受信データストリームに関するさまざまな種別の情報を備えうる。リバースリンクメッセージは、さらにデータソース１０３６から多数のデータストリームに対するトラヒックデータを受信するＴＸデータプロセッサ１０３８によって処理され、変調装置１０８０によって変調され、送信機１０５４ａ〜１０５４ｒによって調整され、基地局１０１０に送り返されうる。
【００７５】
基地局１０１０では、モバイルデバイス１０５０からの変調信号は、アンテナ１０２４によって受信され、受信機１０２２によって調整され、復調装置１０４０によって復調され、ＲＸデータプロセッサ１０４２によって処理され、こうして、モバイルデバイス１０５０によって送信されたリバースリンクメッセージを抽出する。さらに、プロセッサ１０３０は、抽出されたメッセージを処理して、ビームフォーミング重みを決定するためにどのプリコーディング行列を使用するかを決定することができる。
【００７６】
プロセッサ１０３０および１０７０は、めいめい、基地局１０１０およびモバイルデバイス１０５０におけるオペレーションを指令する（例えば、制御、調整、管理などを行う）ことができる。各プロセッサ１０３０および１０７０は、プログラムのコードおよびデータを格納するメモリ１０３２および１０７２に関連付けることができる。プロセッサ１０３０および１０７０は、さらに、それぞれアップリンクおよびダウンリンクに対する周波数およびインパルス応答推定を導出する計算を実行することもできる。
【００７７】
本明細書で説明されている実施形態は、ハードウェア、ソフトウェア、ファームウェア、ミドルウェア、マイクロコード、またはこれらの任意の組合せで実装することができることは理解されるであろう。ハードウェアによる実装では、処理ニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書で説明されている機能を実行するように設計されている他の電子ユニット内に、またはこれらの組合せで実装することができる。
【００７８】
これらの実施形態が、ソフトウェア、ファームウェア、ミドルウェアまたはマイクロコード、プログラムコード、またはコードセグメントで実装される場合、これらは、記憶装置コンポーネントなどの機械可読媒体内に格納することができる。コードセグメントは、プロシージャ、関数、サブプログラム、プログラム、ルーチン、サブルーチン、モジュール、ソフトウェアパッケージ、クラス、または命令、データ構造体、もしくはプログラムステートメントの任意の組合せを表すことができる。コードセグメントは、情報、データ、引数、パラメータ、またはメモリ内容を受け渡し、および／または受信することにより、他のコードセグメントまたはハードウェア回路に結合されるようにできる。情報、引数、パラメータ、データなどは、メモリ共有、メッセージパッシング、トークンパッシング、ネットワーク伝送などを含む、任意の好適な手段を使用して受け渡されるか、転送されるか、または伝送されるようにできる。
【００７９】
ソフトウェアによる実装では、本明細書で説明されている技術は、本明細書で説明されている機能を実行するモジュール（例えば、プロシージャ、関数など）で実装することができる。ソフトウェアコードは、メモリユニット内に格納され、プロセッサにより実行されうる。メモリユニットは、プロセッサ内に、またはプロセッサの外部に実装することができ、その場合、当技術分野で知られているようにさまざまな手段を介してプロセッサに通信可能なように結合することができる。
【００８０】
図１１を参照すると、無線通信ネットワーク内の１つまたは複数のアクセスポイントに関係する制限付きアソシエーション情報を決定するシステム１１００が示されている。例えば、システム１１００は、基地局、フェムトセル、モバイルデバイスなどの中に配置されうる。図示されているように、システム１１００は、プロセッサ、ソフトウェア、またはこれらの組合せ（例えば、ファームウェア）によって実装される機能を表すことができる機能ブロックを備える。システム１１００は、連携動作する電気コンポーネントの論理グループ１１０２を含む。論理グループ１１０２は、アクセスポイントから受信されたブロードキャスト信号から制限付きアソシエーションインジケータを決定するための手段１１０４を備えることができる。説明されているように、インジケータは、１つまたは複数のパラメータなどの信号の１つまたは複数の内因的な側面、および／または信号周波数、時間間隔、周期性、使用される副搬送波などの外因的な側面から決定することができる。さらに、論理グループ１１０２は、制限付きアソシエーションインジケータの少なくとも一部に基づいてブロードキャスト信号からアクセスポイントに関係するグループの識別を決定するための手段１１０６を備えることができる。したがって、すでに決定されているように、アクセスポイントが制限付きアソシエーションを実行する場合、関係する識別子を受信して、例えば、識別子の維持されているリスト内で検証することができる。さらに、論理グループ１１０２は、グループの識別の少なくとも一部に基づいてアクセスポイントと通信するための手段１１０８を備えることができる。説明されているように、通信は、初期接続確立および／またはアクセスポイントへのセル再選択の実行を含むことができる。それに加えて、システム１１００は、電気コンポーネント１１０４、１１０６、および１１０８に関連付けられている機能を実行するための命令を保持するメモリ１１１０を備えることができる。電気コンポーネント１１０４、１１０６、および１１０８は、メモリ１１１０の外部にあるものとして示されているが、メモリ１１１０内に存在していてもよいことは理解されるであろう。
【００８１】
次に、図１２を参照すると、無線通信ネットワークのブロードキャスト信号でアクセスポイントの種別および／または制限付きアソシエーション情報を指定するシステム１２００が例示されている。例えば、システム１２００は、基地局、フェムトセル、モバイルデバイスなどの中に配置されうる。図示されているように、システム１２００は、プロセッサ、ソフトウェア、またはこれらの組合せ（例えば、ファームウェア）によって実装される機能を表すことができる機能ブロックを備える。システム１２００は、ブロードキャスト信号で種別情報を指定することを容易にすることができる電気コンポーネントの論理グループ１２０２を含む。論理グループ１２０２は、無線通信装置の種別を受信するための手段１２０４を備えることができ、無線通信装置は、システム１２００であってもよい。説明されているように、種別は、さまざまな制限のレベルに対し制限付きアソシエーションインジケータおよび／またはインジケータの列挙に関係するものとしてよい。さらに、論理グループ１２０２は、種別の少なくとも一部に基づいて無線通信装置を識別するブロードキャスト信号を生成するための手段１２０６を備えることができる。ブロードキャスト信号は、一例では、この種別に関係するパラメータを含むように生成されうる。それに加えて、信号の他の側面も、そのようなものを示すように修正できる。したがって、論理グループ１２０２は、その種別に応じて無線ネットワーク上でブロードキャスト信号を繰り返し送信するための手段１２０８を備えることができる。説明されているように、長さ、時間間隔、周期性、周波数、および／または同様のものなどの信号送信のいくつかの側面を利用して、種別および／または制限付きアソシエーション情報を決定することができる。それに加えて、システム１２００は、電気コンポーネント１２０４、１２０６、および１２０８に関連付けられている機能を実行するための命令を保持するメモリ１２１０を備えることができる。電気コンポーネント１２０４、１２０６、および１２０８は、メモリ１２１０の外部にあるものとして示されているが、メモリ１２１０内に存在していてもよいことは理解されるであろう。
【００８２】
上述した内容は、１つまたは複数の実施形態の複数の例を含む。もちろん、上述の実施形態を説明するためにコンポーネントまたは方法の考えられるすべての組合せを説明することは不可能であるが、当業者であれば、さまざまな実施形態のさらに多くの組合せおよび置換が可能であることを了解できる。したがって、説明されている実施形態は、付属の請求項の精神と範囲内に収まるすべてのそのような改変、修正、および変更形態を包含することを意図されている。さらに、「含む、備える（ｉｎｃｌｕｄｅ）」という言い回しが詳細な説明または請求項で使用されている範囲において、「備える（ｃｏｍｐｒｉｓｉｎｇ）」が使用された場合に請求項の中で接続語として解釈されるのでこのような用語は「備える（ｃｏｍｐｒｉｓｉｎｇ）」という用語と同様の使い方で包含的であることが意図される。さらに、説明されている態様および／または実施形態の要素は、単数形で説明または請求されている場合があるが、単数形に限定されることが明示的に述べられていない限り、複数形が考慮される。それに加えて、任意の態様および／または実施形態の全部または一部は、別段の指定のない限り、他の態様および／または実施形態の全部または一部とともに使用することができる。
【００８３】
本明細書で開示されている実施形態に関して説明されているさまざまな例示的な論理回路、論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、ディスクリートゲートまたはトランジスタロジック、ディスクリートハードウェアコンポーネント、または本明細書で説明されている機能を実行するように設計されているこれらの任意の組合せにより実装または実行することができる。汎用プロセッサは、マイクロプロセッサであってよいが、代替として、プロセッサは、任意の従来のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサ、ＤＳＰコアと連携する１つまたは複数のマイクロプロセッサ、または他のそのような構成として実装することもできる。それに加えて、少なくとも１つのプロセッサは、上述のステップおよび／またはアクションのうちの１つまたは複数を実行するように動作可能な１つまたは複数のモジュールを備えることができる。
【００８４】
さらに、本明細書で開示されている態様に関して説明されている方法またはアルゴリズムのステップおよび／またはアクションは、ハードウェアで直接、ハードウェアにより実行されるソフトウェアモジュールにより、またはこれら２つの組合せにより実現することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術分野で知られている他の形態の記憶媒体に格納することができる。例示的な記憶媒体は、プロセッサがその記憶媒体から情報を読み込み、その記憶媒体に情報を書き込めるようにプロセッサに結合されうる。代替形態では、記憶媒体は、プロセッサに一体化することができる。さらに、いくつかの態様では、プロセッサおよび記憶媒体は、ＡＳＩＣに収めることもできる。それに加えて、ＡＳＩＣは、ユーザ端末に収めることができる。代替形態では、プロセッサおよび記憶媒体は、ユーザ端末内のディスクリートコンポーネントとして配置することができる。それに加えて、いくつかの態様では、方法またはアルゴリズムのステップおよび／またはアクションは、コンピュータプログラム製品に組み込むことが可能な、機械可読媒体および／またはコンピュータ可読媒体上にコードおよび／または命令のうちの一方または組合せまたはセットとして配置されうる。
【００８５】
１つまたは複数の態様において、説明されている関数は、ハードウェア、ソフトウェア、ファームウェア、またはこれらの組合せで実装することができる。ソフトウェアで実装された場合、これらの関数は、コンピュータ可読媒体上で１つまたは複数の命令もしくはコードとして格納または伝送されうる。コンピュータ可読媒体は、一方の場所から他方の場所へのコンピュータプログラムの転送を容易にする媒体を含むコンピュータ記憶媒体と通信媒体の両方を含む。記憶媒体は、コンピュータによってアクセスできる利用可能な媒体とすることができる。例えば、限定はしないが、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令またはデータ構造体の形態で所望のプログラムコードを搬送または格納するために使用することができ、またコンピュータによってアクセスできる他の媒体を備えることができる。また、任意の接続を、コンピュータ可読媒体と呼んで差し支えない。例えば、ソフトウェアが同軸ケーブル、光ファイバケーブル、ツイストペア線、デジタル加入者回線（ＤＳＬ）、または赤外線、ラジオ、およびマイクロ波などの無線テクノロジを使用してウェブサイト、サーバー、または他のリモートソースから送信される場合、同軸ケーブル、光ファイバケーブル、ツイストペア線、ＤＳＬ、または赤外線、ラジオ、およびマイクロ波などの無線テクノロジは、媒体の定義に含まれる。本明細書で使用されているような、「Ｄｉｓｋ」と「Ｄｉｓｃ」（両方とも日本語ではディスク）は、コンパクトディスク（ＣＤ）、レーザーディスク（登録商標）、光ディスク、デジタル多用途ディスク（ＤＶＤ）、フロッピディスク、およびブルーレイディスクを含み、「Ｄｉｓｋ」は通常磁気的にデータを再現し、「Ｄｉｓｃ」は通常レーザーを使って光学的にデータを再現する。上記の組合せも、コンピュータ可読媒体の範囲に収まらなければならない。
【図１】
2011504057.tif 000003
【図２】
2011504057.tif 000004
【図３】
2011504057.tif 000005
【図４】
2011504057.tif 000006
【図５】
2011504057.tif 000007
【図６】
2011504057.tif 000008
【図７】
2011504057.tif 000009
【図８】
2011504057.tif 000010
【図９】
2011504057.tif 000011
【図１０】
2011504057.tif 000012
【図１１】
2011504057.tif 000013
【図１２】
2011504057.tif 000014
【国際調査報告】
2011504057.tif 000015
2011504057.tif 000016
2011504057.tif 000017
2011504057.tif 000018
2011504057.tif 000019